(57)【特許請求の範囲】
【請求項１】
上弦材と下弦材をウェブ材で連結して形成された鉄骨梁を挟んで立設されるコンクリート型枠を支持する支持金物であって、
前記上弦材に載置されるセパレーターと、該セパレーターに設けられ前記上弦材に係止される係止部とを備え、前記セパレーターが、長尺部と、該長尺部の両端部に設けられた受け座を有すると共に、該受け座は長尺部の中央部側から、端部側まで移動可能にされた第１の金具と、
前記下弦材に載置される腕部と、該腕部に設けられ前記下弦材に係止される係止部と、前記腕部の両端側に位置する前記コンクリート型枠の保持部とを備えた第２の金具とからなり、
前記保持部に前記コンクリート型枠がそれぞれ載置され、該載置されたコンクリート型枠の間に前記セパレーターが位置することを特徴とするコンクリート型枠を支持する支持金物。
【請求項２】
前記上弦材の前記セパレーターが載置される面及び前記下弦材の前記腕部が載置される面の長手方向には、前記係合部が挿入される隙間が形成されていることを特徴とする請求項１記載のコンクリート型枠を支持する支持金物。
【請求項３】
前記第１の金具の係止部は前記セパレーターの中央部に設けられ、前記上弦材の隙間に嵌合される首部と、前記隙間の両側で前記上弦材に抜け止めされる突起とを備えたことを特徴とする請求項２記載のコンクリート型枠を支持する支持金物。
【請求項４】
前記第２の金具の係止部は前記腕部の中央部に設けられ、前記下弦材の隙間に嵌合される首部と、前記隙間の両側で前記下弦材に抜け止めされる突起とを備えたことを特徴とする請求項２記載のコンクリート型枠を支持する支持金物。
【請求項５】
前記突起の前記上弦材または下弦材に当接する箇所にはテーパーが設けられていることを特徴とする請求項３または４記載のコンクリート型枠を支持する支持金物。
【請求項６】
前記突起の前記上弦材または下弦材に当接する箇所には板ばねが設けられていることを特徴とする請求項３乃至５のいずれか一項に記載のコンクリート型枠を支持する支持金物。
【請求項７】
前記第２の金具は縞鋼板からなることを特徴とする請求項１乃至６のいずれか一項に記載のコンクリート型枠を支持する支持金物。
【請求項８】
前記第２の金具には複数の貫通孔が設けられていることを特徴とする請求項１乃至７のいずれか一項に記載のコンクリート型枠を支持する支持金物。
【請求項９】
前記第２の金具の前記腕部の少なくとも前記下弦材に当接する箇所は、断面略コ字状または断面略ロ字状に形成されていることを特徴とする請求項１乃至８のいずれか一項に記載のコンクリート型枠を支持する支持金物。
【請求項１０】
Ｈ形またはＩ形の鉄骨梁を挟んで立設されるコンクリート型枠を支持する支持金物であって、
前記鉄骨梁に載置されるセパレーターと、該セパレーターに連結され前記鉄骨梁を挟持する係合部と、該係合部の両端側に位置する前記コンクリート型枠の保持部とを備え、
前記保持部に前記コンクリート型枠がそれぞれ載置され、該載置されたコンクリート型枠の間に前記セパレーターが位置することを特徴とするコンクリート型枠を支持する支持金物。
【請求項１１】
前記係合部には前記鉄骨梁のフランジ部に嵌合する断面略コ字状の係合部材が設けられたことを特徴とする請求項１０記載のコンクリート型枠を支持する支持金物。
【発明の詳細な説明】
【０００１】
【発明の属する技術分野】
本発明は、コンクリート打設現場で組立施工されるコンクリート型枠を支持するための支持金物に関する。
【０００２】
【従来の技術】
建築物の基礎として、鉄筋をベースとしたコンクリート基礎が用いられている。このようなコンクリート基礎を施工するときには、先ず、地盤を掘削して根伐を形成し、必要に応じて根伐の底面に砕石、栗石を敷設し、敷き均しコンクリートを打設する。次に、図２２に示すように、ベース筋１１１、主筋１１２、スターラップ１１３等の配筋を行う。そして、これら鉄筋の両側にコンクリート型枠を配置固定し、コンクリート型枠間に形成されるコンクリート打設空間にコンクリートを打設し、コンクリート基礎を構築していた。
【０００３】
【発明が解決しようとする課題】
コンクリート型枠の固定方法としては、例えば図２３に示すように、セパレーター１２２及びフォームタイ１２４を用いて固定する方法が知られている。セパレーター１２２及びフォームタイ１２４によりコンクリート型枠１２１を固定するには、先ず、コンクリート型枠１２１を２列に立設して、隣接するコンクリート型枠１２１を釘またはクリップ金物で連結した後、対向するコンクリート型枠１２１間にセパレーター１２２を適宜間隔で取付け、その両端の螺杵部１２３をコンクリート型枠１２１の外側に突出させ、このセパレーター１２２の螺杵部１２３にフォームタイ１２４を螺合する。
【０００４】
次に、鋼管等からなる補強材１２５を取付ける。さらに、この補強材１２５の外側に座金１２７を配設し、ナット１２８で閉め込むことにより、補強材１２５をコンクリート型枠１２１側に押し付け、コンクリート型枠１２１を固定するものである。
【０００５】
しかし、上記従来の方法では、コンクリート型枠は、根伐底や栗石、または敷き均しコンクリートの上に直接配置されているため、型枠を載置した箇所に凹凸があると、コンクリート型枠の天端に差が発生し、コンクリート型枠を天端側で保持する巾止め金具を取り付けられなくなり、コンクリート打設時の圧力でコンクリート型枠間が広がってしまうという問題があった。
【０００６】
さらに、根伐底の硬さが不十分な場合は、コンクリート打設中に、コンクリート型枠が動いてしまい、コンクリート型枠間の間隔が一定に保たれなくなるという問題があった。さらにまた、上記のように、鉄筋を使用した基礎の場合、フーチングの主鉄筋や、立上り部の主鉄筋等、多量の鉄筋が必要とされていた。また、これらの鉄筋を、精度良く配金するためには熟練が必要とされ、手間がかかるという問題があった。
【０００７】
そこで、近年では、鉄筋を形鋼に代替した鉄骨構造の基礎が採用されている。鉄骨構造の基礎は、例えば箱形鋼やＨ形鋼からなる鉄骨梁をベースとし、これら鉄骨の回りにコンクリート型枠を立設し、コンクリートを打設してコンクリート基礎を構築するものである。このように、鉄骨構造の基礎とすることにより、工数が減少され、効率的に施工を行うことが可能となる。
【０００８】
しかし、上記鉄骨構造の基礎を構築する場合でも、コンクリート型枠は根伐底や栗石の上に直接立設されることとなり、コンクリート型枠を確実に保持することが困難であった。また、鉄筋構造の基礎では、所定のかぶり厚を得るために、前記のようなセパレーターとフォームタイを用いる他、コンクリート型枠側に位置する鉄筋にスペーサドーナツを取り付け、より簡単に、コンクリート型枠と鉄筋との間に一定の距離を確保していた。しかし、鉄骨構造の基礎では、このスペーサドーナツを取り付けることができず、コンクリート型枠間の距離を、簡単に一定に保つことを可能とする技術が望まれている。
【０００９】
本発明の目的は、鉄骨造の基礎を施工するときに使用されるコンクリート型枠の支持金物を提供することにある。
【００１０】
本発明の他の目的は、鉄骨梁に簡単に固定することができるコンクリート型枠の支持金物を提供することにある。
【００１１】
本発明のさらに他の目的は、根伐底に凹凸があったり、根伐底の硬さが不充分なときでも、コンクリート型枠を安定して支持することが可能なコンクリート型枠の支持金物を提供することにある。
【００１２】
【課題を解決するための手段】
上記課題は、請求項１に係る発明によれば、上弦材と下弦材をウェブ材で連結して形成された鉄骨梁を挟んで立設されるコンクリート型枠を支持する支持金物であって、前記上弦材に載置されるセパレーターと、該セパレーターに設けられ前記上弦材に係止される係止部とを備え、前記セパレーターが、長尺部と、該長尺部の両端部に設けられた受け座を有すると共に、該受け座は長尺部の中央部側から、端部側まで移動可能にされた第１の金具と、前記下弦材に載置される腕部と、該腕部に設けられ前記下弦材に係止される係止部と、前記腕部の両端側に位置する前記コンクリート型枠の保持部とを備えた第２の金具とからなり、前記保持部に前記コンクリート型枠がそれぞれ載置され、該載置されたコンクリート型枠の間に前記セパレーターが位置することにより解決される。
【００１３】
このように、本発明の請求項１に係る支持金物は、上弦材と下弦材をウェブ材で連結して形成された鉄骨梁を挟んで立設されるコンクリート型枠を支持する支持金物である。支持金物は、第１の金具と第２の金具とからなり、これら第１の金具と第２の金具はそれぞれ、鉄骨梁に係止される係止部を備えているので、鉄骨梁へ簡単に固定することができる。特に、第１の金具は上弦材に載置されるセパレーターと、このセパレーターに設けられ上弦材に係止される係止部とを備え、セパレーターが、長尺部と、該長尺部の両端部に設けられた受け座を有すると共に、受け座は長尺部の中央部側から、端部側まで移動可能にされたので、受け座が移動し、コンクリート型枠の間隔を、手間をかけずに調整することが可能となる。
【００１４】
また、鉄骨梁に係止部を係止して固定するように構成されているので、コンクリート型枠間にコンクリートを打設したときでも、充填されたコンクリートに押し上げられて鉄骨梁から脱落することなく、確実にコンクリート型枠を支持することが可能となる。
【００１５】
さらに、請求項１に係る支持金物によれば、コンクリート型枠を根伐底や栗石上に立設するのではなく、鉄骨梁に固定された第２の金具の保持具にコンクリート型枠を載置するように構成されているので、根伐底の状態に拘らず、２枚のコンクリート型枠の天端の高さを常に一定に保つことができる。そして、このように天端の高さが一定に保たれているので、２枚のコンクリート型枠の天端に、巾止め金具を容易に、且つ安定して取り付けることが可能となる。
【００１６】
２枚のコンクリート型枠の間には、第１の金具のセパレーターが位置し、型枠間の距離が常に一定になるように保持されている。そして上記のように、型枠の天端に巾止め金具を取付けることにより、コンクリート打設時における型枠の傾斜や、型枠間の距離の広がりを防止して、より精度の高い基礎を構築することが可能となる。
【００１７】
また、支持金物が取着される鉄骨梁は、根伐底に広い面積で接し、安定して設置されている。そして、コンクリート型枠は、このように安定した鉄骨梁に取りつけられた第２の金具によって保持されている。したがって、根伐底に十分な硬さがなくても、コンクリート型枠は安定して保持され、コンクリート打設により傾いたり、ずれたりすることなく、好適に基礎の構築を行なうことが可能となる。
【００１８】
なお、上弦材のセパレーター載置面に、長手方向に形成された隙間を設け、同様に、下弦材の腕部載置面にも、長手方向に形成された隙間を設け、これら隙間に、第１の金具及び第２の金具を係止することができる。
【００１９】
上記上弦材の隙間に第１の金具を係止させるときには、第１の金具に、首部と突起とからなる係止部を設ける。首部は、セパレーターの中央部に設けられ、上弦材の隙間に嵌合可能に形成される。突起は、隙間の両側で上弦材に抜け止めされるように構成される。
【００２０】
また、上記下弦材の隙間に第２の金具を係止させるときには、第２の金具に、首部と突起とからなる係止部を設ける。首部は、腕部の中央部に設けられ、下弦材の隙間に嵌合可能に形成される。突起は、隙間の両側で下弦材に抜け止めされるように構成される。
【００２１】
なお、第１の金具または第２の金具を上弦材または下弦材に取付けるときは、第１の金具または第２の金具を上弦材または下弦材に対して平行或いは若干斜めにし、隙間に係止部を挿入したあと、第１の金具または第２の金具を９０度回転させてねじ込むようにして取付ける。
【００２２】
このとき、上記突起の上弦材または下弦材に当接する箇所にテーパーを設けると、第１の金具または第２の金具を、大きな力を要することなくねじ込むことが可能となり好適である。
【００２３】
また、鉄骨梁が歪んでいて、上弦材または下弦材が隙間の両側で異なる高さとなっているような場合に対応するために、突起と、上弦材または下弦材とが当接する箇所に、板ばねを設けると好適である。このように突起に板ばねを設けることにより、板ばねが伸縮して、隙間の両側で上弦材または下弦材に当接し、第１の金具または第２の金具を係止することが可能となる。
【００２４】
さらに、前記第２の金具を縞鋼板から形成することにより、第２の金具へのコンクリートの付着を良くすることが可能となる。また、第２の金具に貫通孔を設けた構成とすることにより、打設されたコンクリートが第２の金具に邪魔されずにスムーズに流通し、コンクリート型枠間にコンクリートを迅速に充填させることが可能となる。
【００２５】
さらにまた、前記第２の金具の腕部の、少なくとも前記下弦材に当接する箇所を、断面略コ字状または断面略ロ字状に形成することにより、腕部と下弦材との接触ポイントをより多く確保することができ、腕部を下弦材に安定して載置することが可能となる。
【００２６】
さらに上記課題は、請求項１０に係る発明によれば、Ｈ形またはＩ形の鉄骨柱間に架設される鉄骨梁を挟んで立設されるコンクリート型枠を支持する支持金物であって、前記鉄骨梁に載置されるセパレーターと、該セパレーターに連結され前記鉄骨梁を挟持する係合部と、該係合部の両端側に位置する前記コンクリート型枠の保持部とを備え、前記保持部に前記コンクリート型枠がそれぞれ載置され、該載置されたコンクリート型枠の間に前記セパレーターが位置することにより解決される。
【００２７】
このように、本発明の請求項１０に係る支持金物は、Ｈ形またはＩ形の鉄骨柱間に架設される鉄骨梁を挟んで立設されるコンクリート型枠を支持する支持金物である。支持金物は、鉄骨梁を挟持する係合部を備えているので、鉄骨梁へ簡単に固定することができる。なお、係合部に、鉄骨梁のフランジ部に嵌合する断面略コ字状の係合部材を設けた構成とすることにより、支持金物を鉄骨梁に確実に係止することができ、コンクリート型枠間にコンクリートを打設したときでも、充填されたコンクリートに押し上げられて鉄骨梁から脱落することなく、確実にコンクリート型枠を支持することが可能となる。
【００２８】
さらに、請求項１０に係る支持金物によれば、コンクリート型枠を根伐底や栗石上に立設するのではなく、鉄骨梁に固定された支持金物の保持具にコンクリート型枠を載置するように構成されているので、根伐底の状態に拘らず、２枚のコンクリート型枠の天端の高さを常に一定に保つことができる。そして、このように天端の高さが一定に保たれているので、２枚のコンクリート型枠の天端に、巾止め金具を容易に、且つ安定して取り付けることが可能となる。
【００２９】
２枚のコンクリート型枠の間には、支持金物のセパレーターが位置し、型枠間の距離が常に一定になるように保持されている。そして上記のように、これら型枠の天端に、巾止め金具を取付けることにより、コンクリート打設時における型枠の傾斜や、型枠間の距離の広がりを防止して、より精度の高い基礎を構築することが可能となる。
【００３０】
また、支持金物が取着される鉄骨梁は、根伐底に広い面積で接し、安定して設置されている。そして、コンクリート型枠は、このように安定した鉄骨梁に取りつけられた支持金物によって保持されている。したがって、根伐底に十分な硬さがなくても、コンクリート型枠は安定して保持され、コンクリート打設により傾いたり、ずれたりすることなく、好適に基礎の構築を行なうことが可能となる。
【００３１】
【発明の実施の形態】
本例の支持金物Ｓ１は、上弦材２と下弦材３をウェブ材４で連結して形成された鉄骨梁１を挟んで立設されるコンクリート型枠５を支持する支持金物である。支持金物Ｓ１は、第１の金具１０と第２の金具２０とからなり、第１の金具１０は、セパレーター１１と、セパレーター１１に設けられた係止部１２とから構成されている。セパレーター１１は上弦材２に載置され、係止部１２は上弦材２に係止される。
【００３２】
また、第２の金具２０は、腕部２１と、腕部２１に設けられた係止部２２と、コンクリート型枠５を保持する保持部２３とから構成されている。腕部２１は下弦材３に載置され、係止部２２は下弦材３に係止される。また、保持部２３は腕部２１の両端側に位置している。保持部２３にはコンクリート型枠５が載置され、このコンクリート型枠５の間に、セパレーター１１が位置して、型枠間の距離を一定に保持する。
【００３３】
本例の鉄骨梁１の上弦材２及び下弦材３には、長手方向に隙間２ｂ，３ｂが形成されている。このように、長手方向に隙間２ｂ，３ｂが形成された鉄骨梁１に、支持金物Ｓ１を係止するために、第１の金具１０には、セパレーター１１の中央部に係止部１２が設けられる。この係止部１２は、上弦材２の隙間２ｂに嵌合される首部１２ａと、隙間２ｂの両側で上弦材２に抜け止めされる突起１２ｂとを備えている。
【００３４】
また、第２の金具２０には、腕部２１の中央部に係止部２２が設けられ、係止部２２は、下弦材３の隙間３ｂに勘合する首部２２ａと、隙間３ｂの両側で下弦材に抜け止めされる突起２２ｂとを備えている。
【００３５】
なお、上記第１の金具１０の突起１２ｂ、または第２の金具２０の突起２２ｂに、テーパー１２ｃ，２２ｃを設けることにより、第１の金具１０または第２の金具２０を、上弦材２または下弦材３に取付け易くなる。
【００３６】
すなわち、上弦材２または下弦材３の隙間２ｂ，３ｂに、第１の金具１０または第２の金具２０を係止する場合、例えば、第１の金具１０または第２の金具２０を、上弦材２または下弦材３に対して平行或いは若干斜めにし、隙間２ｂ，３ｂに係止部１２，２２を挿入したあと、第１の金具１０または第２の金具２０を９０度回転させてねじ込むようにして取付ける。
【００３７】
このように、ねじ込みながら取付けることにより、第１の金具１０または第２の金具２０は鉄骨梁１に直交して配設される。このとき、突起１２ｂ，２２ｂにテーパー１２ｃ，２２ｃが設けられていれば、第１の金具１０または第２の金具２０を、大きな力を要することなくねじ込むことが可能となる。
【００３８】
なお、突起１２ｂ，２２ｂと、上弦材２または下弦材３とが当接する箇所に、板ばね２２ｄを設けることにより、突起１２ｂ，２２ｂから、上弦材２または下弦材３までの距離にばらつきがあるときでも、板ばね２２ｄが伸縮して上弦材２または下弦材３に当接し、第１の金具１０または第２の金具２０を係止することが可能となる。
【００３９】
さらに、第２の金具２０を縞鋼板から形成することにより、第２の金具２０へのコンクリートの付着を良くすることが可能となる。また、第２の金具２０に貫通孔２４を設けた構成とすることにより、打設されたコンクリートが、第２の金具２０に邪魔されずにスムーズに流通し、コンクリート型枠間にコンクリートを迅速に充填させることが可能となる。
【００４０】
さらにまた、第２の金具２０の腕部２１の、少なくとも下弦材３に当接する箇所を、断面略コ字状または断面略ロ字状に形成することにより、腕部２１と下弦材３との接触ポイントをより多く確保することができ、腕部２１を下弦材３に安定して載置することが可能となる。
【００４１】
本例の支持金物Ｓ２は、Ｈ形またはＩ形の鉄骨梁６を挟んで立設されるコンクリート型枠５を支持する支持金物である。支持金物Ｓ２は、セパレーター４１と、セパレーター４１に連結される係合部４２と、係合部４２の両端側に位置する保持部４３とから構成されている。
【００４２】
セパレーター４１は、鉄骨梁６に載置されている。また、係合部４２が鉄骨梁６を挟持し、保持部４３でコンクリート型枠５を保持するように構成されている。、そして、保持部４３に載置されたコンクリート型枠５の間にセパレーター４１が位置し、型枠間の距離を一定に保持するように構成されている。
【００４３】
なお、係合部４２に、鉄骨梁６のフランジ部に嵌合する断面略コ字状の係合部材４２ａを設けた構成とすることにより、支持部材Ｓ２を鉄骨梁６に確実に係止することができる。
【００４４】
【実施例】
以下、本発明の一実施例を図面に基づいて説明する。なお、以下に説明する部材，配置等は本発明を限定するものでなく、本発明の趣旨の範囲内で種々改変することができるものである。
【００４５】
本発明に係る支持金物は、建築物のコンクリート基礎を形成するときに使用されるものであり、より具体的には、コンクリートを打設するためのコンクリート型枠を支持するための支持金物である。本例の支持金物は、図１に示すように、上弦材２と下弦材３とをウェブ材４で連結して形成された鉄骨梁１をベースとする基礎の施工に使用される支持金物Ｓ１と、図１７に示すように、Ｈ形の鉄骨梁６をベースとする基礎の施工に使用される支持金物Ｓ２との２タイプがある。
【００４６】
先ず、第１の実施例として、上弦材２と下弦材３とをウェブ材４で連結して形成された鉄骨梁１をベースとする基礎の施工に用いられる支持金物Ｓ１について説明する。図１乃至図１０は支持金物Ｓ１とその使用方法を示すものであり、図１は支持金物の使用状態を示す説明図、図２は第１の金具の拡大図、図３は第２の金具の説明図、図４及び図５は第２の金具を鉄骨梁に取り付ける方法を示す説明図、図６及び図７は第１の金具を鉄骨梁に取り付ける方法を示す説明図、図８は支持金物が取りつけられた鉄骨梁を示す説明図、図９は支持金物でコンクリート型枠を保持した状態を示す説明図、図１０は支持金物で支持されたコンクリート型枠間にコンクリートを打設した状態を示す断面図である。
【００４７】
鉄骨梁１として、本例では、上弦材２と下弦材３とを、ウェブ材としてのラチス４を介して組み立てたラチス形式の梁が使用されている。上弦材２は、図６で示すように、２本の長尺部材２ａを隙間２ｂを開けて配設し、連結部材２ｃで連結した概略梯子状に形成されている。また、下弦材３も、図４に示すように、２本の長尺部材３ａを隙間３ｂを開けて配設し、連結部材３ｃで連結した概略梯子状に形成されている。
【００４８】
上記鉄骨梁１は、図８に示すように、根伐底から立設された鉄骨柱Ｐの間に架設されている。この箱形の鉄骨梁１を挟んで、コンクリート打設のためのコンクリート型枠５を立設する。
【００４９】
上記コンクリート型枠５を支持する、本例の支持金物Ｓ１は、図１で示すように、鉄骨梁１の上弦材２に係合される第１の金具１０と、鉄骨梁１の下弦材３に係合される第２の金具２０とから構成されている。
【００５０】
第１の金具１０は、図２に示すように、セパレーター１１と、このセパレーター１１の中央部に設けられた係止部１２とから構成されている。セパレーター１１は、コンクリート型枠５の間隔を正確に保つ飼い物であり、長尺部１１ａと、この長尺部１１ａの両端部に設けられた受け座１１ｂとから構成されている。受け座１１ｂは、長尺部１１ａの両端部側に設けられたねじ部（図示せず）に螺合されており、図２の鎖線で示すように、長尺部１１ａの中央部側から、端部側まで移動可能に構成されている。このように受け座１１ｂが移動することにより、コンクリート型枠５の間隔を調整することが可能となる。
【００５１】
なお、長尺部１１ａの両端部に、受け座１１ｂからコンクリート型枠５へ向けて突出する螺杵部（図示せず）を設けた構成としても良い。螺杵部は、予めコンクリート型枠５に形成された貫通孔（図示せず）を貫通し、コンクリート型枠５の外側でフォームタイ（図示せず）に螺合する。そして、コンクリート型枠５の外側から、フォームタイをセパレーター１１側に押し付けることにより、セパレーター１１の両側においてコンクリート型枠５を保持するものである。このような構成とすることにより、コンクリート型枠５をより確実に保持することが可能となる。
【００５２】
第１の金具１０の係止部１２は、セパレーター１１の長尺部１１ａの中央部に設けられており、上弦材２の隙間２ｂに嵌合される首部１２ａと、隙間２ｂの両側で上弦材２に係止される突起１２ｂとを有している。係止部１２は、セパレーター１１を上弦材２に対して平行か、或いは斜め向きにしたとき、上弦材２の隙間２ｂに挿入可能となる形状に形成されている。
【００５３】
さらに、係止部１２が上弦材２の隙間２ｂに挿入された後、第１の金具１０を９０度回転させ、上弦材２の長手方向に第１の金具１０を直交させることにより、第１の金具１０が鉄骨梁１に直交して配設される。このとき、突起１２ｂが上弦材２の長尺部材２ａによって抜け止めされ、上弦材２に係止される。
【００５４】
なお、図２に示すように、突起１２ｂにテーパー部１２ｃを設けた構成とすると、係止部１２を上弦材２の隙間２ｂに挿入させたあと、第１の金具１０を回転させやすくなり好適である。
【００５５】
第２の金具２０は、図３に示すように、腕部２１と、係止部２２と、コンクリート型枠５を保持する保持金具２３とを備えている。係止部２２は、腕部２１の中央部に設けられており、下弦材３の隙間３ｂに嵌合される首部２２ａと、隙間３ｂの両側で下弦材３に係止される突起２２ｂとを有している。係止部２２は、第２の金具２０を、下弦材３に対して平行か、或いは斜め向きにしたとき、下弦材３の隙間３ｂに挿入可能となる形状に形成されている。
【００５６】
さらに、係止部２２が長尺部材間の隙間から挿入された後、第２の金具２０を９０度回転させ、下弦材３の長手方向に対して第２の金具２０を直交させることにより、第２の金具２０が鉄骨梁１に直交して配設される。このとき、突起２２ｂが下弦材３の長尺部材３ａによって抜け止めされ、下弦材３に係止される。
【００５７】
なお、図３に示すように、突起２２ｂにテーパー部２２ｃを設けた構成とすると、脚部２２ｂを下弦材３の隙間３ｂに挿入させたあと、第２の金具２０を回転させやすくなり好適である。
【００５８】
腕部２１は、上面部２１ａを有する断面略Ｌ字状に形成されており、上面部２１ａの両端部には、コンクリート型枠５を保持する保持金具２３が設けられている。保持金具２３は、図３に示すように、コンクリート型枠５を保持する断面略コ字形の支持部２３ａと、支持部２３ａを上面部２１ａに固着させるための取付部２３ｂとから構成されている。保持金具２３は、ねじやビス或いは接着剤等で、取付部２３ｂと腕部２１とを固着させることにより取り付けられている。
【００５９】
次に、上記支持金物Ｓ１を用いて、鉄骨梁１の両側にコンクリート型枠５を立設する工程について説明する。先ず、図４及び図５に示すように、鉄骨梁１の下弦材３に、第２の金具２０をはめ込む。このとき、図４に示すように、第２の金具２０を下弦材３に対して斜め向きにし、下弦材３の隙間３ｂに、第２の金具２０の係止部２２を挿入する。
【００６０】
次に、第２の金具２０を９０度回転させて、図５に示すように、第２の金具２０を下弦材３の長手方向に対して直交させる。これにより、係止部２２に設けられた突起２２ｂが、下弦材３の長尺部材３ａに係止され、第２の金具２０は下弦材３において保持される。
【００６１】
次に、図６及び図７に示すように、鉄骨梁１の上弦材２に、第１の金具１０をはめ込む。このとき、図６に示すように、第１の金具１０を上弦材２に対して斜め向きにし、上弦材２の隙間２ｂに、第１の金具１０の係止部１２を挿入する。
【００６２】
次に、第１の金具１０を９０度回転させて、図７に示すように、第１の金具１０を上弦材２の長手方向に対して直交させる。これにより、係止部１２に設けられた突起１２ｂが、上弦材２の長尺部材２ａに係止され、第１の金具１０は上弦材２において保持される。
【００６３】
上記工程を少なくとも２回繰り返して、図８に示すように、第１の金具１０と第２の金具２０とを、鉄骨梁１の少なくとも２箇所に設置する。そして、このように２箇所に取りつけられた支持金物Ｓ１間に、図９に示すように２枚のコンクリート型枠５を載架する。このとき、コンクリート型枠５は、第２の金具２０の保持金具２３によって下端部を保持されており、また、コンクリート型枠５間の間隔は、第１の金具１０のセパレーター１１により一定に保たれる。
【００６４】
さらに、上記のように並設されたコンクリート型枠５の天端に、図９に示すように、巾止め金物３０を取付ける。巾止め金物３０は、コンクリートの打設によりコンクリート型枠５間が広がらないように、コンクリート型枠５の天端側に取り付けられ、コンクリート型枠５の間隔を保持するための保持具である。
【００６５】
上記工程により、鉄骨梁１を挟んでコンクリート型枠５が立設される。コンクリート型枠５間には、図１０に示すように、コンクリートＣが打設され、このように打設されたコンクリートが硬化することにより、鉄骨梁１をベースとしたコンクリート基礎が完成する。
【００６６】
図１１乃至図１６は、支持金物Ｓ１を構成する第２の金具２０の、他の実施例を示す説明図である。先ず、図１１乃至図１３に示す実施例について説明する。図１１乃至図１３に示す第２の金具２０には、係止部２２に形成された突起２２ｂに、ばね部２２ｄが設られている。
【００６７】
ばね部２２ｄは、図１２に示すように、突起２２ｂから、係止部２２側に延出し、先端部が弾性を有するように形成されている。したがって、ばね部２２ｄは、力がかかると湾曲し、力のかかった方向に、元に戻ろうとする力が作用するように形成されている。
【００６８】
本例における第２の金具２０を下弦材３に取着するときは、図１２に示すように、第２の金具２０を下弦材３に対して斜め向きにし、下弦材３の長尺部材３ａ間の隙間３ｂに、第２の金具２０の係止部２２を挿入する。
【００６９】
次に、第２の金具２０を９０度回転させて、下弦材３の長手方向に対して直交させる。このとき、ばね部２２ｄは湾曲しながら、図１３に示すように、下弦材３の長尺部材３ａに係合し、下弦材３において保持される。
【００７０】
このように、本例の第２の金具２０は、突起２２ｂの先端側にばね部２２ｄを有した構成とされているので、例えば、下弦材３が歪んでいて、長尺部材３ａが隙間３ｂを挟んで異なる高さで向き合って配設されているような場合でも、ばね部２２ｄがいずれの長尺部材３ａにも係合され、下弦材３において第２の金具２０を保持することができる。
【００７１】
なお、上記ばね部２２ｄは、第１の金具１０の突起１２ｂにも設けることが可能である。このときは、第１の金具１０の連結部１２を若干長めに形成し、突起１２ｂから、セパレーター１１側に向けてばね部を形成すれば良い。
【００７２】
図１４乃至図１６は、さらに他の構成からなる第２の金具２０を示す説明図である。図１４に示す第２の金具２０の本体２１には、表面にひし形の縞の山または溝が設けられた縞鋼板が用いられている。このように表面に凹凸のある素材を用いることにより、本体２１へのコンクリートの付着を良くすることが可能となる。
【００７３】
図１５に示す第２の金具２０は、本体２１に複数の貫通孔２４が穿設された構成とされている。貫通孔２４は、コンクリート型枠５間へ打設されたコンクリートを流通させるためのものである。貫通孔２４が設けられていることにより、打設されたコンクリートが、第２の金具２０に邪魔されずにスムーズに流通し、コンクリート型枠５間にコンクリートを迅速に充填させることが可能となる。
【００７４】
図１６に示す第２の金具２０は、本体２１の腕部２１の少なくとも下弦材３に当接する箇所を断面略コ字状またはロ字状に形成し、上面部２１ａから下弦材３側へ折曲する掛止部２１ｂを備えた構成とされている。この掛止部２１ｂは、下弦材３に掛けられ、第２の金具２０を支持するものである。これにより、例えば、下弦材３の長尺部材３ａ間の隙間３ｂが大きめに開いており、係止部２２での固定が困難な場合でも、この掛止部２１ｂで腕部２１を支持することにより、第２の金具２０は倒れることなく保持される。
【００７５】
なお、上記実施例では、上弦材２及び下弦材３の長手方向に隙間２ｂ及び３ｂが形成され、この隙間２ｂ，３ｂに、第１の金具１０の係止部１２と、第２の金具２０の係止部２２を係合させる例を示したが、係止部１２及び係止部２２の形態はこれに限られるものではない。
【００７６】
例えば、上弦材２の側部に隙間が形成されている場合には、係止部１２は、上弦材２を挟持し、且つ側部に形成された隙間に嵌合する形状の、断面略コ字状に形成される。同様に、下弦材３の側部に隙間が形成されている場合には、係止部２２は、下弦材３を挟持し、且つ側部に形成された隙間に嵌合する形状の、断面略コ字状に形成される。このように、係止部１２及び係止部２２は、支持金物Ｓ１が配設される鉄骨梁１の形状に応じて、適宜形状が変更されるものである。
【００７７】
次に、図１７乃至図２１において、Ｈ形の鉄骨梁６をベースとする基礎を施工する場合に用いられる支持金物Ｓ２について説明する。Ｈ形の鉄骨梁６は、図１７に示すように、上側面７と、下側面８とを備えている。Ｈ形の鉄骨梁６も、前記した箱形の鉄骨梁１と同様に、根伐底から立設された鉄骨柱（図示せず）の間に架設されている。このＨ形の鉄骨梁６を挟んでコンクリート型枠５を立設するために、支持金物Ｓ２を使用する。
【００７８】
支持金物Ｓ２は、図１７に示すように、セパレーター４１と、このセパレーター４１に取り付けられた係合部４２と、係合部の両端側に位置する保持部４３とから構成されている。セパレーター４１は、コンクリート型枠５の間隔を正確に保つ飼い物であり、図１８に示すように、長尺部材４１ａと、この長尺部材４１ａの両端部に設けられた受け座４１ｂとから構成されている。受け座４１ｂは、長尺部材１１ａの両端部側に所定長さで設けられたねじ部（図示せず）に螺合されており、長尺部材４１ａの中央部側から、端部側まで移動可能とされており、コンクリート型枠の間隔を調整可能に構成されている。
【００７９】
なお、前記した支持金物Ｓ１と同様に、長尺部４１ａの両端部に、受け座４１ｂからコンクリート型枠５へ向けて突出するねじ部（図示せず）を設けた構成としても良い。ねじ部は、予めコンクリート型枠５に形成された貫通孔（図示せず）を貫通し、コンクリート型枠５の外側でフォームタイ（図示せず）に螺合する。そして、コンクリート型枠５の外側から、フォームタイをセパレーター４１側に押し付けることにより、セパレーター４１の両側においてコンクリート型枠５を保持するものである。このような構成とすることにより、コンクリート型枠５をより確実に保持することが可能となる。
【００８０】
係合部４２は、Ｈ形の鉄骨梁６の上面部６を挟持するように形成されている。なお、本例の係合部４２には、Ｈ形の鉄骨梁６側に、断面略コ字状の係合部材４２ａが設けられている。この係合部材４２ａを、鉄骨梁６のフランジ部に係合させることにより、支持金物Ｓ２を鉄骨梁６に確実に係止させることが可能となる。
【００８１】
係合部４２の両端部側には、コンクリート型枠５を支持するための保持部４３が形成されている。保持部４３には、コンクリート型枠５を保持する保持金具４３ａが設けられている。保持金具４３ａは、図１８で示すように、コンクリート型枠５を保持する断面略コ字形の支持部４３ｂと、支持部４３ｂを保持部４３に固着させるための取付部４３ｃとから構成されている。保持金具４３ａは、ねじやビス或いは接着剤等で、保持部４３に固着されている。
【００８２】
次に、上記支持金物Ｓ２を用いて、Ｈ形の鉄骨梁６の両側にコンクリート型枠５を立設する工程について説明する。先ず、図１９に示すように、Ｈ形の鉄骨梁６の上面部６に、係合部４２をはめ込む。このとき、係合部４２に形成された係止部４２ａの１つを鉄骨梁上面部６のフランジ６ａに係合させる。
【００８３】
さらに、支持金物Ｓ２を上から押え、図２０に示すように、もう一方の係止部４２ａをフランジ部６ａに係合させる。そして、この工程を少なくとも２回繰り返して、支持金物Ｓ２を、鉄骨梁６の少なくとも２箇所に設置する。
【００８４】
上記のように少なくとも２箇所に取りつけられた支持金物Ｓ２間に、２枚のコンクリート型枠５を載架する。このとき、コンクリート型枠５は、保持金具４３ａによって下端部を保持されており、また、コンクリート型枠５間の間隔は、セパレーター４１により一定に保たれる。
【００８５】
さらに、上記のように並設されたコンクリート型枠５の天端に、図２１に示すように、巾止め金物３０を取付ける。巾止め金物３０は、コンクリートの打設によりコンクリート型枠５間が広がらないように、コンクリート型枠５の天端側に取り付けられ、コンクリート型枠５の間隔を保持するための保持具である。
【００８６】
上記工程により、鉄骨梁６を挟んでコンクリート型枠５が立設される。コンクリート型枠５間には、図２１に示すように、コンクリートＣが打設され、このように打設されたコンクリートが硬化することにより、鉄骨梁１をベースとしたコンクリート基礎が完成する。
【００８７】
【発明の効果】
以上のように、本発明は、鉄骨梁に係止された支持金物によりコンクリート型枠を支持するように構成されているので、コンクリート型枠間にコンクリートを打設したときでも、充填されたコンクリート押し上げられて鉄骨梁から脱落することなく、確実にコンクリート型枠を支持することが可能となる。
【００８８】
さらに、本発明の支持金物を用いることにより、従来のようにコンクリート型枠を根伐底や栗石上に立設するのではなく、鉄骨梁に固定された支持金物上にコンクリート型枠を載置することが可能となるので、２枚のコンクリート型枠の天端の高さを常に一定に保つことができる。そして、このように天端の高さが一定に保たれているので、２枚のコンクリート型枠の天端に、巾止め金具を容易に、且つ安定して取り付けることができる。
【００８９】
また、２枚のコンクリート型枠の間には、支持金物のセパレーターが位置し、型枠間の距離が常に一定になるように保持されている。そして上記のように、これら型枠の天端に、巾止め金具を取付けることにより、コンクリート打設時における型枠の傾斜や、型枠間の距離の広がりを防止して、より精度の高い基礎を構築することが可能となる。
【００９０】
さらにまた、支持金物が取着される鉄骨梁は、根伐底に広い面積で接し、安定して設置されている。そして、コンクリート型枠は、このように安定した鉄骨梁に取りつけられた第２の金具によって保持されている。したがって、根伐底に十分な硬さがなくても、コンクリート型枠は安定して保持され、コンクリート打設により傾いたり、ずれたりすることなく、好適に基礎の構築を行なうことが可能となる。
【図面の簡単な説明】
【図１】ラチス形式の鉄骨梁をベースとする基礎を施工する場合に用いられる支持金物を示す説明図である。
【図２】第１の金具の拡大図である。
【図３】第２の金具の拡大図である。
【図４】第２の金具を鉄骨梁に取り付ける方法を示す説明図である。
【図５】第２の金具を鉄骨梁に取り付ける方法を示す説明図である。
【図６】第１の金具を鉄骨梁に取り付ける方法を示す説明図である。
【図７】第１の金具を鉄骨梁に取り付ける方法を示す説明図である。
【図８】支持金物が取りつけられた鉄骨梁を示す説明図である。
【図９】支持金物でコンクリート型枠を保持した状態を示す説明図である。
【図１０】支持金物で支持されたコンクリート型枠間にコンクリートを打設した状態を示す断面図である。
【図１１】第２の金具について他の実施例を示す説明図である。
【図１２】第２の金具について他の実施例を示す説明図である。
【図１３】第２の金具について他の実施例を示す説明図である。
【図１４】第２の金具について他の実施例を示す説明図である。
【図１５】第２の金具について他の実施例を示す説明図である。
【図１６】第２の金具について他の実施例を示す説明図である。
【図１７】Ｈ形の鉄骨梁をベースとする基礎を施工する場合に用いられる支持金物を示す説明図である。
【図１８】図１７に示す支持金物の拡大図である。
【図１９】支持金物を鉄骨梁に取り付ける方法を示す説明図である。
【図２０】支持金物を鉄骨梁に取り付ける方法を示す説明図である。
【図２１】支持金物で支持されたコンクリート型枠間にコンクリートを打設した状態を示す断面図である。
【図２２】従来例を示す説明図である。
【図２３】従来例を示す説明図である。
【符号の説明】
１  鉄骨梁
２  上弦材
３  下弦材
４  ウェブ材
５  コンクリート型枠
６  鉄骨梁
７  上側面
８  下側面
１０  第１の金具
１１  セパレーター
１２  係止部
２０  第２の金具
２１  腕部
２２  係止部
２３  保持部
３０  巾止め金物
４１  セパレーター
４２  係合部
４３  保持部
Ｓ１，Ｓ２  支持金物
【図１】
0004144974.tif 000002
【図２】
0004144974.tif 000003
【図３】
0004144974.tif 000004
【図４】
0004144974.tif 000005
【図５】
0004144974.tif 000006
【図６】
0004144974.tif 000007
【図７】
0004144974.tif 000008
【図８】
0004144974.tif 000009
【図９】
0004144974.tif 000010
【図１０】
0004144974.tif 000011
【図１１】
0004144974.tif 000012
【図１２】
0004144974.tif 000013
【図１３】
0004144974.tif 000014
【図１４】
0004144974.tif 000015
【図１５】
0004144974.tif 000016
【図１６】
0004144974.tif 000017
【図１７】
0004144974.tif 000018
【図１８】
0004144974.tif 000019
【図１９】
0004144974.tif 000020
【図２０】
0004144974.tif 000021
【図２１】
0004144974.tif 000022
【図２２】
0004144974.tif 000023
【図２３】
0004144974.tif 000024